(57)【要約】【課題】デジタル放送を録画中にコンテンツが分割された場合でも、ユーザが録画番組を快適に視聴することができる移動体用デジタル放送受信装置を提供する。【解決手段】受信したデジタル放送の映像音声データを記録媒体に記録することが可能な移動体用デジタル放送受信装置において、前記記録媒体にデジタル放送の映像音声データを記録中に記録を停止し、その停止から次に記録を再開するまでの期間中に記録を停止した該映像音声データを識別する識別情報を前記記録媒体に順次対応付けて記録し、その後、前記記録媒体にデジタル放送の映像音声データを記録中に記録を停止し再開しない際に、記録を停止した該映像音声データを識別する識別情報を既に記録されている前記識別情報に対応付けて前記記録媒体に記録する記録制御部と、前記記録媒体に記録された各識別情報が示す各映像音声データを順次再生する再生部と、を備える構成とした。【選択図】図１
2012015579.tif 000002
【特許請求の範囲】
【請求項１】
受信したデジタル放送の映像音声データを記録媒体に記録することが可能な移動体用デジタル放送受信装置において、
前記記録媒体にデジタル放送の映像音声データを記録中に記録を停止した際、記録を停止した該映像音声データを識別する識別情報を前記記録媒体に記録し、その後記録を再開し再度記録を停止したとき、映像音声データを識別する識別情報を既に前記記録媒体に記録されている前記識別情報に対応づけて前記記録媒体に記録する記録制御部と、
前記記録媒体に記録された各識別情報が示す各映像音声データを順次再生する再生部と、を備えることを特徴とする移動体用デジタル放送受信装置。
【請求項２】
前記記録媒体に記録された各識別情報をひとまとめに示す名称情報を表示部に表示させる表示制御部を備え、
表示された前記名称情報が操作により選択されると、前記再生部は、前記記録媒体に記録された各識別情報が示す各映像音声データを順次再生することを特徴とする請求項１に記載の移動体用デジタル放送受信装置。
【請求項３】
前記記録制御部は、前記記録媒体に１セグメント放送または１２セグメント放送の映像音声データを記録中にデジタル放送の受信状態が変化したときに記録を停止し、１セグメント放送と１２セグメント放送を切替えて記録を再開することを特徴とする請求項１または請求項２に記載の移動体用デジタル放送受信装置。
【請求項４】
前記記録制御部は、前記記録媒体にデジタル放送の映像音声データを記録中に制限連続録画時間を超えると記録を停止し再開することを特徴とする請求項１〜請求項３のいずれかに記載の移動体用デジタル放送受信装置。
【請求項５】
前記記録制御部は、同一のプレイリスト情報において前記識別情報を記録することを特徴とする請求項１〜請求項４のいずれかに記載の移動体用デジタル放送受信装置。
【発明の詳細な説明】
【技術分野】
【０００１】
本発明は、車載用ナビゲーション装置を始めとする移動体用デジタル放送受信装置に関する。
【背景技術】
【０００２】
従来、車載用ナビゲーション装置や携帯電話機には、デジタル放送受信機能を有し、受信したデジタル放送をＳＤメモリカードなどの記録媒体に録画可能なものがある。記録媒体への映像データの記録フォーマットとして、例えば、SD-Video ISDB-T Mobile Video Profileが知られている。これは、ワンセグ（１セグメント放送）を記録媒体に録画する際に使用されているSD-Videoの規格名称であり、以下、ＳＤ−Ｖｉｄｅｏと略称する。
【先行技術文献】
【特許文献】
【０００３】
【特許文献１】特開２００６−３５２３５１号公報
【発明の概要】
【発明が解決しようとする課題】
【０００４】
ここで、ＳＤ−Ｖｉｄｅｏにはファイルサイズが２Ｇバイト以下という制限があるため、連続録画時間に制限が存在し、録画中に制限録画時間に達すると一旦録画を停止する必要がある。そして、録画停止後、新たに別のコンテンツとして録画を再開した場合、コンテンツが分割されてしまうといった問題が生じていた。
【０００５】
また、ＳＤ−Ｖｉｄｅｏはワンセグ（１セグメント放送）録画／再生用の規格であるが、将来的には１２セグ（１２セグメント放送）録画／再生用の規格も策定されることが予想される。車載用ナビゲーション装置等においては、受信状況に応じて１２セグとワンセグを切替えて受信することが一般的であり（例えば特許文献１）、録画に関しても１２セグとワンセグを切替えて録画を継続する方法も考えられる。しかし、ハード構成上、１２セグとワンセグを切替える際、録画を一旦停止し、ハード設定を変更後に録画を再開する必要性があると考えられ、こういった場合、コンテンツが分割されてしまうことが予想される。
【０００６】
そして、上記のようにコンテンツが分割されると、あるコンテンツを再生させると番組の途中であるのに再生が停止され、続きを視聴するために次のコンテンツを再生させる操作が必要なため、ユーザが録画番組を快適に視聴することができないといった問題があった。
【０００７】
また、上記のようにコンテンツが分割されると、コンテンツの一覧を表示した際に同一の番組であってもコンテンツが別れて表示されるといった問題があった。
【０００８】
上記問題点を鑑み、本発明は、デジタル放送を録画中にコンテンツが分割された場合でも、ユーザが録画番組を快適に視聴することができる移動体用デジタル放送受信装置を提供することを目的とする。
【課題を解決するための手段】
【０００９】
上記目的を達成するために本発明は、受信したデジタル放送の映像音声データを記録媒体に記録することが可能な移動体用デジタル放送受信装置において、
前記記録媒体にデジタル放送の映像音声データを記録中に記録を停止した際、記録を停止した該映像音声データを識別する識別情報を前記記録媒体に記録し、その後記録を再開し再度記録を停止したとき、映像音声データを識別する識別情報を既に前記記録媒体に記録されている前記識別情報に対応づけて前記記録媒体に記録する記録制御部と、前記記録媒体に記録された各識別情報が示す各映像音声データを順次再生する再生部と、を備えた構成とする。
【００１０】
このような構成によれば、デジタル放送を録画中にコンテンツが分割された場合でも、再生の際、コンテンツを連続して再生するので、ユーザは快適に録画番組を視聴することができる。
【００１１】
また、上記構成において、前記記録媒体に記録された各識別情報をひとまとめに示す名称情報を表示部に表示させる表示制御部を備え、
表示された前記名称情報が操作により選択されると、前記再生部は、前記記録媒体に記録された各識別情報が示す各映像音声データを順次再生する構成としてもよい。
【００１２】
このような構成によれば、分割されたコンテンツを一つのコンテンツとして表示部に表示させることができる。
【００１３】
また、上記いずれかの構成において、前記記録制御部は、前記記録媒体に１セグメント放送または１２セグメント放送の映像音声データを記録中にデジタル放送の受信状態が変化したときに記録を停止し、１セグメント放送と１２セグメント放送を切替えて記録を再開する構成としてもよい。
【００１４】
このような構成によれば、移動体の移動により受信状態が変化しても、常に適切な方（受信状態が良好な方）の放送を録画することができ、良好な録画が可能となる。
【００１５】
また、上記いずれかの構成において、前記記録制御部は、前記記録媒体にデジタル放送の映像音声データを記録中に制限連続録画時間を超えると記録を停止し再開する構成としてもよい。
【００１６】
また、上記いずれかの構成において、前記記録制御部は、同一のプレイリスト情報において前記識別情報を記録する構成としてもよい。
【発明の効果】
【００１７】
本発明の移動体用デジタル放送受信装置によれば、デジタル放送を録画中にコンテンツが分割された場合でも、ユーザが録画番組を快適に視聴することができる。
【図面の簡単な説明】
【００１８】
【図１】本発明の一実施形態に係る車載用ナビゲーション装置の概略構成を示す図である。
【図２】本発明に係る録画処理の一例を示すフローチャートである。
【図３】本発明に係る録画処理における映像音声データ記録の一例を示す図である。
【図４】本発明に係る録画処理におけるプレイリスト作成の一例を示す図である。
【発明を実施するための形態】
【００１９】
以下に本発明の実施形態を図面を参照して説明する。ここでは、本発明に係る移動体用デジタル放送受信装置として車載用ナビゲーション装置を一例に挙げて説明する。図１に、本発明の一実施形態に係る車載用ナビゲーション装置１００の概略構成を示す。車載用ナビゲーション装置１００は、ナビゲーション機能に加え、デジタル放送受信録画機能を有しており、ワンセグと１２セグを受信可能となっている。なお、ワンセグの方が１２セグよりも受信エリアが広い。
【００２０】
図１に示すよう、車載用ナビゲーション装置１００は、ＤＴＶチューナ２と、復調部３と、オーディオフィルタ４と、オーディオデコーダ５と、ビデオフィルタ６と、ビデオデコーダ７と、データフィルタ８と、データデコーダ９と、オーディオエンコーダ１０と、ビデオエンコーダ１１と、Ｄ／Ａコンバータ１２と、ＬＰＦ／ドライバ１３と、映像処理部１４と、Ｄ／Ａコンバータ１５と、ＬＰＦ／ドライバ１６と、映像表示装置１７と、音声出力部１８と、スピーカ１９と、操作入力部２０と、ＣＰＵ２１と、ＲＡＭ２２と、ＲＯＭ２３と、記録媒体２４と、を備えている。ＤＴＶチューナ２には、車両に設けられるアンテナ１が接続される。
【００２１】
ＤＴＶチューナ２は、アンテナ１から地上デジタル放送信号を受信し所望の物理チャンネルで選局を行う。なお、一つの物理チャンネルには、１３セグメントからなり、ワンセグおよび１２セグが含まれている。復調部３は、ＤＴＶチューナ２から入力される選局された信号を復調およびエラー訂正し、ワンセグと１２セグそれぞれのＴＳ（トランスポートストリーム）を出力する。
【００２２】
オーディオフィルタ４は、ＴＳからオーディオデータのみを抽出し、オーディオデコーダ５は、抽出されたオーディオデータを復号しデジタル音声信号を出力する。デジタル音声信号は、ワンセグと１２セグが切替えられて（より具体的には、１２セグ視聴中／録画中に受信状態が悪化するとワンセグに切替え、ワンセグ視聴中／録画中に受信状態が良好になると１２セグに切替えて）Ｄ／Ａコンバータ１２とオーディオエンコーダ１０に出力される。Ｄ／Ａコンバータ１２は、オーディオデコーダ５から入力されるデジタル音声信号をアナログベースバンド信号に変換し、ＬＰＦ／ドライバ１３を介して音声出力部１８に出力する。音声出力部１８は、音声信号の周波数特性を変化させるイコライザ機能や音声信号の電力を増幅するアンプ機能を有し、スピーカ１９は電力増幅された音声信号に基づき音声を発生する。これにより、放送音声が発生される。
【００２３】
ビデオフィルタ６は、ＴＳからビデオデータのみを抽出し、ビデオデコーダ７は、抽出されたビデオデータを復号しデジタル映像信号を出力する。デジタル映像信号は、上述のデジタル音声信号と同様にワンセグと１２セグが切替えられて映像処理部１４とビデオエンコーダ１１に出力される。映像処理部１４は、ビデオデコーダ７から入力されるデジタル映像信号の映像サイズを変更するスケーラ機能や、文字等を重畳するＯＳＤ（On Screen Display）機能を有する。Ｄ／Ａコンバータ１５は、映像処理部１４から入力される映像信号をアナログ映像信号に変換し、ＬＰＦ／ドライバ１６を介して映像表示装置１７に出力する。映像表示装置１７はＬＣＤ等で構成され、放送映像やＯＳＤ映像を表示する。
【００２４】
データフィルタ８は、伝送パラメータ、ＮＩＴ（Network Information Table）、番組情報、データ放送等のデータをＴＳから抽出し、データデコーダ９は、抽出されたデータを復号する。
【００２５】
オーディオエンコーダ１０は、オーディオデコーダ５から入力されるデジタル音声信号を圧縮符号化して、符号化された音声データを記録媒体２４に記録させる。ビデオエンコーダ１１は、ビデオデコーダ７から入力されるデジタル映像信号を圧縮符号化して、符号化された映像データを記録媒体２４に記録させる。また、再生の際は、記録媒体２４から読み出された符号化された音声データがオーディオデコーダ５により復号され、記録媒体２４から読み出された符号化された映像データがビデオデコーダ７により復号される。
【００２６】
操作入力部２０は、不図示のハードキー、タッチパネル並びにリモコン受光部を含み、ユーザの操作による操作信号を出力する。ＣＰＵ２１は、各種演算、処理、制御を行う演算処理装置である。ＲＡＭ２２は、ＣＰＵ２１のワークメモリ等に用いられる。ＲＯＭ２３は、ＣＰＵ２１が実行する制御プログラムを格納する。記録媒体２４は、ＳＤメモリカード等で構成され、ＳＤ−Ｖｉｄｅｏのフォーマットで記録媒体２４に放送が録画される。
【００２７】
なお、図１には図示していないが、ナビゲーション機能に必要な構成（地図記憶部、ＧＰＳ受信部等）を当然に車載用ナビゲーション装置１００は有している。
【００２８】
次に、車載用ナビゲーション装置１００における録画処理について図２に示すフローチャートに沿って、図３、図４も用いつつ説明する。
【００２９】
ユーザにより録画操作がされると録画が開始され、図２のフローチャートが開始される。録画開始時、ＣＰＵ２１は、記録媒体２４上にプログラムディレクトリを新規に作成し、作成したプログラムディレクトリの中にタイトル名情報を含んだプログラム情報ファイルを作成すると共に、そのプログラムディレクトリの中に映像音声ファイルを作成し、このファイル内に放送の映像音声データを記録開始する。なお、放送の映像音声データの記録については、復調部３が出力するＴＳをそのまま記録する場合と、オーディオエンコーダ１０およびビデオエンコーダ１１が出力する符号化された映像音声データを記録する場合とがあり、ワンセグと１２セグのいずれかの映像音声データが記録される。高画質で録画する場合はＴＳをそのまま記録し、容量を抑えて録画する場合は符号化された映像音声データを記録するようにし、いずれの方法で録画するかはユーザ操作により選択可能である。
【００３０】
例えば、図３（Ａ）では、プログラムディレクトリとして「プログラム００１」が新規に作成され、その中にプログラム情報ファイルと映像音声ファイルが作成される。
【００３１】
そして、ステップＳ１で、ＣＰＵ２１が第１〜第３のいずれかの録画停止条件を検出すると、録画を停止し、ステップＳ２に進む。ここで、第１の録画停止条件とは、録画時間が制限連続録画時間を超えたことである。第２の録画停止条件とは、選局チャンネルの受信状態が変化したこと（良好な状態から不良な状態への変化または不良な状態から良好な状態への変化）である。なお、受信状態の検出は、例えば、復調部３から受信状態の指標となるＣ／Ｎ（Carrier to Noise ratio）を取得して行えばよい。また、第３の録画停止条件とは、録画停止操作がされたことである。
【００３２】
ステップＳ２で、ＣＰＵ２１は、第１または第２の録画停止条件の場合は録画の継続が必要と判定し（ステップ２のＹ）、第３の録画停止条件の場合は録画の継続が不要と判定する（ステップＳ２のＮ）。
【００３３】
そして、録画の継続が必要と判定された場合は（ステップＳ２のＹ）、ステップＳ３に進み、ＣＰＵ２１は、記録媒体２４上の管理データディレクトリ中のプレイリスト管理ファイルに、プレイリスト名情報およびプログラム識別情報を含んだプレイリスト情報を新規に作成する。ここで、プログラム識別情報としては、録画停止したコンテンツのプログラム（即ち、録画停止した映像音声ファイルが格納されたプログラムディレクトリ）を設定する。
【００３４】
例えば、図４（Ａ）では、図３（Ａ）の録画停止したコンテンツのプログラム「プログラム００１」がプログラム識別情報として設定されている。
【００３５】
次に、ステップＳ４で、再度録画が開始される。この際、ＣＰＵ２１は、記録媒体２４上にプログラムディレクトリを新規に作成し、作成したプログラムディレクトリの中にタイトル名情報を含んだプログラム情報ファイルを作成すると共に、そのプログラムディレクトリの中に映像音声ファイルを作成し、このファイル内に放送の映像音声データを記録開始する。なお、第２の録画停止条件を検出した場合は、ワンセグと１２セグを切替えて録画を再開する。具体的には、受信状態が良好な状態から不良な状態に変化した場合は、１２セグからワンセグに切替え、受信状態が不良な状態から良好な状態に変化した場合は、ワンセグから１２セグに切替える。
【００３６】
例えば、図３（Ｂ）では、プログラムディレクトリとして「プログラム００２」が新規に作成され、その中にプログラム情報ファイルと映像音声ファイルが作成される。
【００３７】
そして、ステップＳ５で、ＣＰＵ２１が第１〜第３のいずれかの録画停止条件を検出すると、録画を停止し、ステップＳ６に進む。ステップＳ６で、ＣＰＵ２１は、第１または第２の録画停止条件の場合は録画の継続が必要と判定し（ステップ６のＹ）、第３の録画停止条件の場合は録画の継続が不要と判定する（ステップＳ６のＮ）。
【００３８】
録画継続が必要と判定された場合は（ステップＳ６のＹ）、ステップＳ７に進み、ＣＰＵ２１は、記録媒体２４上のプレイリスト情報にプログラム識別情報を追加してプレイリスト情報を更新する。ここでは、録画停止したコンテンツのプログラムをプログラム識別情報として追加設定する。ステップＳ７の後は、ステップＳ４に戻り、再度録画を開始する。
【００３９】
例えば、図４（Ｂ）では、図３（Ｂ）の録画停止したコンテンツのプログラム「プログラム００２」がプログラム識別情報として設定されている。
【００４０】
一方、録画継続が不要と判定された場合は（ステップＳ６のＮ）、ステップＳ８に進み、ＣＰＵ２１は、記録媒体２４上のプレイリスト情報にプログラム識別情報を追加してプレイリスト情報を更新する。ここでは、録画停止したコンテンツのプログラムをプログラム識別情報として追加設定する。ステップＳ８の後、処理は終了となる（エンド）。
【００４１】
また、ステップＳ２で、録画継続が不要と判定された場合は（ステップＳ２のＮ）、そのまま処理は終了となる（エンド）。
【００４２】
以上のような録画処理の後、ユーザにより再生一覧表示操作がされると、記録媒体２４に記録されているプレイリスト情報のプレイリスト名情報が映像処理部１４のＯＳＤ機能により映像表示装置１７に一覧表示される。そして、一覧表示においてユーザ操作によりプレイリスト名が選択されると、選択されたプレイリスト名に対応するプレイリスト情報における先頭のプログラム識別情報が示すプログラムの映像音声データが記録媒体２４から読み出される（例えば、図４（Ｂ）のプレイリスト情報においては「プログラム００１」の映像音声ファイルの映像音声データが読み出される）。
【００４３】
読み出されたデータがＴＳの場合は、ＴＳがオーディオフィルタ４およびビデオフィルタ６に出力され、また、読み出されたデータが符号化された映像音声データの場合は、符号化された映像音声データがオーディオデコーダ５およびビデオデコーダ７に出力され、映像表示装置１７およびスピーカ１９から映像音声が再生される。先頭のプログラム識別情報が示すプログラムの映像音声データの再生が終了した後は、プレイリスト情報における次のプログラム識別情報が示すプログラムの映像音声データの再生を順次行う。
【００４４】
以上のように本発明では、デジタル放送を録画中にコンテンツが分割された場合、自動的にプレイリストを作成することで、再生一覧表示の際は、分割されたコンテンツを一つの録画コンテンツとして表示可能になる（プレイリスト名の表示）。さらに再生の際は、分割されたコンテンツを連続して再生し、ユーザは連続してコンテンツを視聴可能となり、快適な録画番組の視聴が可能となる。
【００４５】
以上、本発明の実施形態について説明したが、本発明の趣旨の範囲内であれば、実施形態は種々変更が可能である。
【００４６】
例えば、再生一覧表示においてはプレイリスト名を表示する代わりに、プレイリスト情報における先頭のプログラム識別情報が示すプログラムのプログラム情報ファイルに含まれるタイトル名情報を表示するようにしてもよい（例えば、図４（Ｂ）のプレイリスト情報であれば「プログラム００１」のプログラム情報ファイルに含まれるタイトル名情報が表示される）。
【００４７】
また、本発明は、車載用ナビゲーション装置に限らず、例えば、携帯電話機や携帯テレビ等の移動体用デジタル放送受信装置にも適用可能である。
【符号の説明】
【００４８】
１００  車載用ナビゲーション装置
１      アンテナ
２      ＤＴＶチューナ
３      復調部
４      オーディオフィルタ
５      オーディオデコーダ
６      ビデオフィルタ
７      ビデオデコーダ
８      データフィルタ
９      データデコーダ
１０    オーディオエンコーダ
１１    ビデオエンコーダ
１２    Ｄ／Ａコンバータ
１３    ＬＰＦ／ドライバ
１４    映像処理部
１５    Ｄ／Ａコンバータ
１６    ＬＰＦ／ドライバ
１７    映像表示装置
１８    音声出力部
１９    スピーカ
２０    操作入力部
２１    ＣＰＵ
２２    ＲＡＭ
２３    ＲＯＭ
２４    記録媒体
【図１】
2012015579.tif 000003
【図２】
2012015579.tif 000004
【図３】
2012015579.tif 000005
【図４】
2012015579.tif 000006